(57)【特許請求の範囲】
【請求項１】
脚柱の上端に固定した基枠に、上部に背凭れを備える背杆の下部を後方に回動可能に軸支した椅子の背凭れの傾動装置において、
前記背杆の下部を、下方に開口するコ字状の断面形状とするとともに、前記基枠の後下部を、後方及び下方に開口する形状とし、該基枠の後下部の左右の側板間に、ばねユニットの前端部を軸着し、かつ前記背杆の下部の左右の側壁の間に、前記ばねユニットの後端部を軸着したことを特徴とする椅子の背凭れの傾動装置。
【請求項２】
基枠の後下部から、左右の側板を、基枠の底部よりも下方に突出させて垂設し、この左右の側板間に、ばねユニットの前端部を軸着したことを特徴とする請求項１記載の椅子の背凭れの傾動装置。
【請求項３】
基枠の後下部の内方に、ばねユニットの前端部の幅に合わせて、左右の側板を垂設したことを特徴とする請求項１または２記載の椅子の背凭れの傾動装置。
【請求項４】
背杆の前下部の上板の先端部を切り欠き、背杆の前端部を左右の側壁のみとしたことを特徴とする請求項１〜３のいずれかに記載の椅子の背凭れの傾動装置。
【請求項５】
ばねユニットの大部分が、背杆の傾動範囲の全域で、前記背杆の下部の左右の両側壁間、および基枠の後下部の左右の側板間に収納されるようにしたことを特徴とする請求項１〜４のいずれかに記載の椅子の背凭れの傾動装置。
【発明の詳細な説明】
【０００１】
【発明の属する技術分野】
本発明は、脚柱の上端に固定した基枠に、上部に背凭れを備える背杆の下部を後方に回動可能に軸支した椅子の背凭れの傾動装置に関する。
【０００２】
【従来の技術】
従来のこの種の装置は、実公平４−７４６号公報や特開平６−２９６５２９号公報等に開示されている。
【０００３】
【発明が解決しようとする課題】
このうち、前者の考案では、背凭れを前方に付勢するばねユニットが、座席下部に取り付けられた上向きに開口する断面上向きコ字状の座席受体の内部に設置されているため、座席受体から座席を外さなければ、ばねユニットのメンテナンスや交換を行うことができず、作業に時間がかかる。
また、後者の発明では、ばねユニットのメンテナンスや交換を行う場合には、ばねユニット取付用の軸の取り外し、取り付けを、前側の軸は下方から行い、後側の軸は上方から行うため、作業に時間がかかる。
さらに、後者の発明では、ばねユニットが、上方から見て座席受体と背杆との間に現れるために、そのままでは着座者の身体や衣服が、ばねユニットに触れて危険である。
【０００４】
本発明は、このような問題点を解決するため、ばねユニットの交換を、座席受体から座席を外すことなく、容易に行うことができ、かつ、着座者の身体や衣服が、ばねユニットに触れることのない、安全性の高い椅子の背凭れの傾動装置を提供することを目的としている。
【０００５】
【課題を解決するための手段】
本発明によると、上記課題は、次のようにして解決される。
(１)  脚柱の上端に固定した基枠に、上部に背凭れを備える背杆の下部を後方に回動可能に軸支した椅子の背凭れの傾動装置において、前記背杆の下部を、下方に開口するコ字状の断面形状とするとともに、前記基枠の後下部を、後方及び下方に開口する形状とし、該基枠の後下部の左右の側板間に、ばねユニットの前端部を軸着し、かつ前記背杆の下部の左右の側壁の間に、前記ばねユニットの後端部を軸着する。
【０００６】
(２)  上記(１)項において、基枠の後下部から、左右の側板を、基枠の底部よりも下方に突出させて垂設し、この左右の側板間に、ばねユニットの前端部を軸着する。
【０００７】
(３)  上記(１)または(２)項において、基枠の後下部の内方に、ばねユニットの前端部の幅に合わせて、左右の側板を垂設する。
【０００８】
(４)  上記(１)〜(３)項のいずれかにおいて、背杆の前下部の上板の先端部を切り欠き、背杆の前端部を左右の側壁のみとする。
【０００９】
(５)  上記(１)〜(４)項のいずれかにおいて、ばねユニットの大部分が、背杆の傾動範囲の全域で、前記背杆の下部の左右の両側壁間、および基枠の後下部の左右の側板間に収納されるようにする。
【００１０】
【発明の実施の形態】
図４は、本発明を適用した椅子の概略構成を示すもので、キャスタ(１)を備えた脚部(２)には、ガススプリングを内蔵した脚柱(３)が固定されており、脚柱(３)の上端には、基枠(４)が取り付けられている。
【００１１】
図４と、その要部の分解斜視図である図１とに示すように、基枠(４)には、上部に図示しない座席を備えた座席受体(５)、及び上部に図示しない背凭れを備えた背杆(10)が、３つの連結部(Ａ)(Ｂ)(Ｃ)により連結されている。
すなわち、座席受体(５)は、基枠(４)に形成した長孔(６)と座席受体(５)に形成した長孔(７)とに摺動自在に嵌合した前後１対の軸(８)(９)をもって、基枠(４)に支持されている。
後部の軸(９)は、背杆(10)の前端に穿設した軸孔(13)（図１参照）に挿通され、この背杆(10)の中間部に突設した軸(11)は、座席受体(５)の後部両側部に形成した長孔(12)に嵌合されている。
【００１２】
このような長孔と軸とによる連結部の構成は、着座者が背凭れに寄りかかる時、座席受体(５)を、背凭れ、従って背杆(10)の後方への回動と連動して、後ろに移動しながら後ろに傾く運動をさせるためであり、着座者は、骨盤の近傍（Ｐ点）を中心に後ろに無理なく回転する。またこの際、座席の運動中心(Ｑ)は、着座者の足の踝の位置に近づくので、下腿部が上方に引っ張り上げられることがない。
【００１３】
図１及び図２に示すように、前述の連結部(Ｂ)の長孔(６)は、基枠(４)の左右両側の上縁に形成された傾斜面(14)と、座席受体(５)を挟んで基枠(４)の上面を覆う取付板(15)の下面に形成された傾斜面(16)とにより形成されている。軸(８)には、軸受部材(17)を嵌合させ、この軸受部材(17)の左右両端の上下面を、上下の傾斜面(16)(14)に摺動可能に当接させている。
【００１４】
基枠(４)の後下部と背杆(10)の下部との間には、常時は背杆(10)、従って背凭れをほぼ直立姿勢に維持するが、着座者が背凭れに寄り掛かると、屈従して背凭れを傾動させるばねユニット(18)が軸着されている。このばねユニット(18)の詳細を、図２及び図３を参照して以下に述べる。
【００１５】
ばねユニット(18)は、圧縮コイルばね(19)、その両端に取り付けられたばね受け(20)(21)、及び圧縮コイルばね(19)の中心を通って挿通された有頭軸(22)を主要構成部分としてなるものである。
【００１６】
基枠(４)の後下部は、下方及び後方に開口しており、この開口部の内部に、左右の側板(23)が、基枠(４)の底部から下方に突出するように垂設されている。
この左右の側板(23)の間隔は、図３に示すように、ばねユニット(18)のばね受け(20)を挟むに充分な程度の狭い間隔とされている。
【００１７】
左右の側板(23)の下端には、軸孔(24)が穿設され、この軸孔(24)とばね受け(20)の軸孔(20a)とを整合させて、軸(25)を挿通することにより、ばねユニット(18)の前端部が基枠(４)に軸着されている。
【００１８】
背杆(10)の下部は、上板(10a)と左右の側壁(10b)とにより、下方に開口するコ字状の断面形状とされており、このコ字の垂下部に相当する両側壁(10b)に軸孔(26)が穿設されている。
背杆(10)の前下部の先端部は、両側壁(10b)(10b)の連結部分に相当する上板(10a)の前端部が欠除されて、側壁(10b)のみとなっており、その前端部に、前述の座席受体(５)との連結部の軸孔(13)が形成されている。
【００１９】
ばねユニット(18)の後端部のばね受け(21)は、その軸孔(21a)を背杆(10)の左右の側壁(10b)の軸孔(26)に整合させ、これらの軸孔に軸(27)を挿通することにより、背杆(10)に軸着されている。
【００２０】
上述のような構成であるので、着座者が椅子に腰掛けて背凭れに寄り掛かって、図４について説明したように背凭れを傾動させる際、ばねユニット(18)は、背杆(10)の内部において、これとともに図２に想像線により示すように傾動する。
【００２１】
【発明の効果】
本発明によれば、ばねユニットの上方は、下面開口のコ字状の背杆により覆い隠され、着座者の身体や衣服が触れることがなく、安全性が高く、しかもばねユニットの点検、交換が、座席受体から座席を外すことなく、椅子の後下方から容易に行うことができる。
【００２２】
請求項２記載の発明のように、基枠の後下部から、左右の側板を基枠の底部よりも下方に突出させて垂設し、この左右の側板間にばねユニットの前端部を軸着すると、軸着部が基枠の下方に突出するので、ばねユニットの着脱を、より容易に行うことができる。
【００２３】
請求項３記載の発明のように、基枠の後下部の内方に、ばねユニットの前端部の幅に合わせて左右の側板を垂設すると、ばねユニットを安定して取り付けることができる。
【００２４】
請求項４記載の発明のように、背杆の前下部の上板の先端部を切り欠き、背杆の前端部を左右の側壁のみとすると、背杆を基枠に深く差し入れて、背杆のコ字の連結部分が十分にばねユニットを覆うようにすることができる。
【００２５】
請求項５記載の発明のように、ばねユニットの大部分が、背杆の傾動範囲の全域で背杆の下部の左右両側壁間、および基枠の後下部の左右の側板間に収納されるようにすると、見栄えがよく、かつ安全である。
【図面の簡単な説明】
【図１】本発明の一実施例を備えた椅子の主要部分を分解して示す斜視図である。
【図２】図１に示す座席受体、基枠及び背杆を示す、椅子のほぼ中央の拡大縦断側面図である。
【図３】図２に示すばねユニット付近を下方より見上げて示す部分拡大底面図である。
【図４】本発明を適用した椅子の概略構成図である。
【符号の説明】
(Ａ)(Ｂ)(Ｃ)連結部
(１)キャスタ
(２)脚部
(３)脚柱
(４)基枠
(５)座席受体
(６)長孔
(７)長孔
(８)(９)軸
(10)背杆
(10a)上板
(10b)側壁
(11)軸
(12)長孔
(13)軸孔
(14)傾斜面
(15)取付板
(16)傾斜面
(17)軸受部材
(18)ばねユニット
(19)圧縮コイルばね
(20)ばね受け
(20a)軸孔
(21)ばね受け
(21a)軸孔
(22)有頭軸
(23)側板
(24)軸孔
(25)軸
(26)軸孔
(27)軸
【図１】
0003721648.tif 000002
【図２】
0003721648.tif 000003
【図３】
0003721648.tif 000004
【図４】
0003721648.tif 000005